(57)【要約】【課題】  農作業現場等において、より早く、安全で楽にダンボール箱の組み立てができる作業台の提供。【解決手段】  ダンボール箱のブランク束（１０枚）を置いておくスペース（スペースを広くすると１０枚以上も可能）と、ブランクを拡開しフラップを折り曲げて組み立てた箱を寄せて位置決めする枠２−７、粘着テープ置き場および調整ナットにより高さをと幅を調整できるテープ切断刃を設けた、１０枚連続製作可能なシンプル且つ軽量で持ち運びが容易な作業台。【選択図】  図２
0003155887.tif 000002
【実用新案登録請求の範囲】
【請求項１】
現在農作物収穫時ダンボール箱を折り曲げ箱状にし、裏面のダンボールの合わせ目をテープで貼り付けているが時間と作業工程がかかりすぎてしまう。
本考案はダンボール箱のブランク束（１０枚）を置くスペースと、ブランクを拡開しフラップを折り曲げて組み立てた箱を寄せて位置決めする枠２−７、粘着テープ（以後テープと表記）置き場１−４および調整ナット１−２，３により高さと幅を無段階調整できるテープ切断刃２−１１を設け、テープ切断刃を調整する事により多種多様な箱に対応できる。
フラップを折り曲げダンボールの底面を押さえながら２−８より５〜１０ｃｍ程度下からテープを貼り付け、テープ切断刃に向けテープを貼り付けて切断刃で切断しテープを折り曲げ貼り付ける。
ダンボール箱のブランク束（１０枚）を置くスペースを設置しているため１０枚連続で組み立てることができる。
スペースを広くすると１０枚以上も可能である。
腰を曲げずに作業できるため足腰が弱い人でも簡単かつ楽に作業できる小型、軽量で持ち運びが容易な作業台。
多種多様なダンボール箱に対応するため農業現場はもとより工業、商業、農林水産業、運輸業などのダンボール組み立てにも利用できる作業台。
【考案の詳細な説明】
【技術分野】
【０００１】
本考案は、農作業および社会全般においてダンボール箱組み立て時等の作業時間と作業工程短縮装置に関するものである。
【背景技術】
【０００２】
本考案はダンボール箱組み立て時等の作業工程にある。
【０００３】
ダンボール箱を組み立てるにはダンボール箱のブランク（図面３−Ａ）を拡開し（図面３−Ｂ）フラップを折り曲げ（図面３−Ｃ，Ｄ，４−Ｅ）の順で組み立てて裏面（図面４−１５）をテープで貼り付けて裏返して（図面４−Ｇ）完成である。
【０００４】
今まではダンボール箱のブランク束から一枚ずつ取り出して地面等で組み立ててテープを貼り付けていたがテープが曲がったまま貼り付けてしまったり、裏面のダンボール箱がよく重なり合っていないまま（隙間があったりひし形状のまま）貼り付けてしまったりしていた。
【０００５】
作業するには腰の曲げ伸ばしが連続し長時間立ったままで作業するため足腰にかなりの負担がかかってしまう。
【非特許文献１】特開平０８−１３３２０９号公報
【考案の開示】
【考案が解決しようとする課題】
【０００６】
たたんだ状態のダンボールを開き、下部を折りたたんだ状態または封かんまでの作業を行う機械は（ワークメイト２１）として発売されている。
【０００７】
従来、特開平０８−１３３２０９号公報のように作業台を備えたダンボール箱閉蓋用フラップのテープ貼機が開示されている。
【０００８】
しかしながら前述の機械は１人がダンボールのブランクを拡開し機械に通し、もう１人が機械から出てきた完成したタンボール箱を取り出して重ね合わせなければならないため常に２人作業になってしまう。
【０００９】
機械はトラックの荷台にリフトなどで乗せれるがかなりの重量と大きさがあり電気（三相２００Ｖ）も必要なため農作業現場では全くの不向きである。
【００１０】
使用場所は作業場に限られるが乗用車１台分ほどの場所をとってしまうという問題点があった。
【００１１】
後述の特開平０８−１３３２０９号公報ではダンボール箱のブランクを１枚ずつセットして作業するため作業時間と作業工程がかかりすぎてしまう。
【００１２】
装置も複雑で重量もあり製作にも費用を費やしてしまい、時々メンテナンスも必要となる。
【００１３】
装置にリフト等を使用しているため指を挟んで怪我をしてしまうという問題点があった。
【００１４】
解決しようとする問題点は農作業現場等でダンボール箱組み立て時等における作業時間と作業工程がかかりすぎていてしかもダンボール箱がきれいに作成できない事である。
【００１５】
そこで本考案は上記のような従来の問題点を解決すべく、従来のダンボール箱組み立て時における作業時間および作業工程を解決しようとするものであり、農作業現場はもとより、工業、商業、農林水産業などのダンボール箱組み立て時等に適用し、安価で装置を製作及び購入ができ、簡単で安全且つ正確でより早く楽に作業ができる装置を提供することを目的とするものである。
【課題を解決するための手段】
【００１６】
本考案は、上記の目的を達成するために従来の作業時間および作業工程が有した問題を解決するために装置の設置を望むものである。
【００１７】
ダンボールのブランク束（１０枚）を置くスペースがあるため１０枚連続で製作でき、構造がシンプルであるためメンテナンスも不要で軽量且つ小型である。
【００１８】
モーター等がないため電気も不要で安全に作業できる。
【００１９】
ここでダンボール箱とは商品、物品などを入れるものを意味するものであって、必ずしもダンボール箱に限られるものではなく、たとえばプラスチック箱としてもよい。
【考案の効果】
【００２０】
上記のように構成された本考案のダンボール箱組み立て装置は切断刃調整ナット（図面１−２，３）をゆるめ無段階調整する事により、多種多様なダンボール箱にも対応でき、ブランク束（１０枚）を置くスペースから１枚を取り出して拡開しフラップを折り曲げテープを貼り付け、テープの切断まで楽な姿勢のまま安全で簡単に作業ができるため足腰の弱い人や高齢者や子供に朗報であり、小型、軽量で持ち運びが容易で電気不要であるという利点がある。
【００２１】
なおブランク束（１０枚）を置くスペースがあるため１０枚連続で作業できる。
【考案を実施するための最良の形態】
【００２２】
材料はプラスチック、アルミ、鉄などが多く使用される。
【００２３】
使用場所により材質については適材適所で選べばよい。
【００２４】
水を扱う場所ではプラスチック、アルミを使用し、晴天時の屋外では装置を丈夫にするために鉄、アルミなどが好ましい。
【００２５】
装置は簡単に移動できしかも場所も取らないように軽量且つコンパクトで持ち運びが容易でなければならない。
【００２６】
子供から大人まで簡単且つ安全作業できるようにモーターなどは使用せず構造はシンプルであるのが好ましい。
【実施例１】
【００２７】
本装置（図面１）の上にダンボール箱のブランク束を置き（図面２）ダンボール箱の組み立て作業に入る。
【００２８】
本装置の上でダンボール箱のブランク（図面３−Ａ）を拡開し（図面３−Ｂ）両サイドのフラップを折り曲げ（図面３−Ｃ）その上に手前と奥のフラップを折り曲げ（図面３−Ｄ）重ねあわせる（図面４−Ｅ）。
【００２９】
テープ切断刃（図面２−１１）を調整するために調整ナット（図面１−２，３）をゆるめて上下左右に移動し保護カバー付切断刃（図面１−１）をダンボール箱の重なり合った位置（図面２−１４）より数センチ高くして調整ナット（図面１−２，３）を固定し、切断刃の保護カバーを取り外す。
【００３０】
切断刃の高さについては作業しやすい位置に調整したほうがよい。
【００３１】
一度切断刃を調整しておけば次回からは同じ種類のダンボール箱を連続で組み立てることができる。
【００３２】
折り曲げたダンボール箱をきれいに作成するために装置の角（図面２−７）に軽くダンボール箱を寄せる。
【００３３】
テープをテープ置き場（図面１−４）から取り出し、ダンボール箱の端（図面２−８）を上から軽く抑えながらテープを（図面２−８）より５〜１０ｃｍ下の位置から貼りはじめ、次にダンボール箱が重なりあうように（図面２−９）を（図面２−７）に軽く寄せてテープ（図面２−１０）をダンボールの端（図面２−１４）まで伸ばして切断刃（図面２−１１）で切断する。
【００３４】
テープをテープ置き場（図面１−４）に置き次に使用する時にテープの先端が取り出しやすいようにテープ貼り付防止金具（図面１−５）にテープの先端を貼り付ける（図面２−１２）。
【００３５】
ダンボールを左端（図面２−１３）に寄せダンボールの右端（図面２−１４）を下に軽く押してテープをダンボールに貼り付ける（図面４−Ｆ）。
【００３６】
ここまでの作業でダンボール箱組み立て作業が完了し、本装置から取り出し（図面４−Ｆ）裏返して（図面４−Ｇ）完成である。
【００３７】
ここまでの工程をブランク束（１０枚）がなくなるまで連続して同一場所で繰り返す。
【産業上の利用可能性】
【００３８】
以前はダンボール箱の裏面の合わせ目をステップルで留めていたが市場、店舗などでの開封時の安全性を考慮し現在ではおよそ８０％以上はテープで留めている。
【００３９】
農作物出荷時のおよそ９０％以上は畑で作業し、多い時には１日に３００箱以上組み立てて出荷する時もある。
【００４０】
本装置は農作物出荷時等におけるダンボール箱組み立て作業を容易にでき、テープ切断刃（図面２−１１）を無段階調整する事により多種多様なダンボール箱組み立ての用途にも適用できるため農業に限らず工業、商業、農林水産業、運輸業などでも適している。
【図面の簡単な説明】
【００４１】
【図１】装置外装
【図２】装置使用図
【図３】ダンボール箱組み立て図１
【図４】ダンボール箱組み立て図２
【符号の説明】
【００４２】
１−１  テープ切断刃保護カバー
１−２，３  切断刃調整ナット
１−４  テープ置き場
１−５  テープ貼り付防止金具
１−６  予備テープ置き場
２−１０  テープ
２−１１  テープ切断刃
【図１】
0003155887.tif 000003
【図２】
0003155887.tif 000004
【図３】
0003155887.tif 000005
【図４】
0003155887.tif 000006
【手続補正書】
【提出日】平成21年4月23日(2009.4.23)
【手続補正１】
【補正対象書類名】実用新案登録請求の範囲
【補正対象項目名】請求項１
【補正方法】変更
【補正の内容】
【請求項１】
本考案はダンボール箱のブランク束を置くスペースと、ブランクを拡開しフラップを折り曲げて組み立てた箱を寄せて位置決めする枠２−７、粘着テープ置き場１−４および調整ナット１−２，３により高さと幅を無段階調整できるテープ切断刃２−１１を設け、テープ切断刃を調整する事により多種多様な箱に対応でき腰を曲げずに簡単かつ楽に作業ができる小型、軽量で持ち運びが容易な作業台。
【手続補正書】
【提出日】平成21年5月22日(2009.5.22)
【手続補正１】
【補正対象書類名】実用新案登録請求の範囲
【補正対象項目名】全文
【補正方法】変更
【補正の内容】
【実用新案登録請求の範囲】
【請求項１】
ダンボール箱のブランク束を置く台と、ブランクを拡開しフラップを折り曲げて組み立てた箱の四方を直角にできる枠、調整ナットにより高さと幅を無段階調整できるテープ切断刃を設ける事により多種多様な箱に対応でき腰を曲げずに簡単かつ楽に作業ができる小型、軽量で持ち運びが容易な作業台。
【手続補正書】
【提出日】平成21年6月17日(2009.6.17)
【手続補正１】
【補正対象書類名】実用新案登録請求の範囲
【補正対象項目名】全文
【補正方法】変更
【補正の内容】
【実用新案登録請求の範囲】
【請求項１】
ダンボール箱のブランク束を置く台と、台の角に設けた直角ガイドと、台に取り付けた無段階調整ナット付きテープ切断刃からなり、ブランクを拡開しフラップを折り曲げて組み立てた箱の角を直角ガイドに当て箱を直角にし、箱の合わせ目をテープで張り、事前に台に取り付けてあるテープ切断刃を無段階調整ナットで高さと幅をダンボールの合わせ目の延長上に調整したテープ切断刃で切断し箱に貼り付ける事によりダンボールの組み立てからテープ張りまで腰を曲げずに簡単かつ楽に作業ができ多種多様な箱にも対応できる作業台。